(57)【要約】【課題】設置時の位置設定をより簡略化する。【解決手段】画像を投影する空間的光変調素子(ＳＯＭ)36、光源ランプ38及び投影レンズ12を含む投影系と、投影した画像を撮影する撮影レンズ13、ＣＣＤ41及びプロセス回路42を含む撮影系と、調整脚部23ａ〜23ｄの長さを調整して投影画像の少なくとも上下方向の位置を可変するモータ47ａ〜47ｄを制御する姿勢制御部45と、撮影系で撮影した投影画像に基づいて姿勢制御部45により調整脚部23ａ〜23ｄの長さを調整する制御部44とを備える。【選択図】      図２
2005257766.tif 000002
【特許請求の範囲】
【請求項１】
画像を投影する投影手段と、
この投影手段が投影した画像を撮影する撮影手段と、
装置本体の脚部の長さを調整して上記投影手段が投影する画像の少なくとも上下方向の位置を可変する脚長調整機構と、
上記撮影手段で撮影した、上記投影手段が投影した画像に基づいて上記脚長調整機構により装置本体の脚部の長さを調整する姿勢制御手段と
を具備したことを特徴とする投影装置。
【請求項２】
上記姿勢制御手段が調整した装置本体の脚部の長さを記憶する記憶手段をさらに具備し、
上記姿勢制御手段は、この記憶手段の記憶内容がある際にはその記憶内容に基づいて上記脚長調整手段により装置本体の脚部の長さを調整する
ことを特徴とする請求項１記載の投影装置。
【請求項３】
上記撮影手段は、上記投影手段の投影画角以上の撮影画角を有することを特徴とする請求項１記載の撮影装置。
【請求項４】
上記装置本体の複数の脚部が長さ調整が可能であり、
上記脚長調整手段は、上記複数の脚部の長さをそれぞれ独立して調整する
ことを特徴とする請求項１記載の投影装置。
【請求項５】
上記姿勢制御手段が装置本体の脚部の長さを調整した後に、上記投影手段による投影画像の自動合焦を実行する焦点制御手段をさらに具備したことを特徴とする請求項１記載の投影装置。
【請求項６】
上記姿勢制御手段が装置本体の脚部の長さを調整した後に、上記投影手段による投影画像の自動台形補正を実行する台形補正制御手段をさらに具備したことを特徴とする請求項１記載の投影装置。
【請求項７】
上記姿勢制御手段が装置本体の脚部の長さを調整した後に、該脚部の長さを任意に調整する指示を受け付けてこれを実行する補正手段をさらに具備したことを特徴とする請求項１記載の投影装置。
【請求項８】
画像を投影する投影工程と、
この投影工程で投影した画像を撮影する撮影工程と、
上記撮影工程で撮影した、上記投影工程で投影した画像に基づいて、装置本体の脚部の長さを調整して上記投影工程で投影する画像の少なくとも高さ方向の位置を可変する姿勢制御工程と
を有したことを特徴とする投影方法。
【請求項９】
画像を投影する投影ステップと、
この投影工程で投影した画像を撮影する撮影ステップと、
上記撮影ステップで撮影した、上記投影ステップで投影した画像に基づいて、装置本体の脚部の長さを調整して上記投影ステップで投影する画像の少なくとも高さ方向の位置を可変する姿勢制御ステップと
をコンピュータに実行させることを特徴とするプログラム。
【発明の詳細な説明】
【技術分野】
【０００１】
本発明は、設置時の位置調整を簡易化する投影装置、投影方法及びプログラムに関する。
【背景技術】
【０００２】
従来より、プロジェクタ装置と接続することで撮影している資料書類等の画像を投影表示する、所謂書画カメラの分野で、資料全体が表示画面内に収まるようにカメラのレンズのズーム位置を自動設定するようにしたものが考えられている。（例えば、特許文献１）
【特許文献１】特開２００２−２７１６７８号公報
【発明の開示】
【発明が解決しようとする課題】
【０００３】
しかしながら、撮影した画像を投影表示する側のプロジェクタ装置では、その初期の設置を自動化するようにしたものはなく、設置時には投影対象のスクリーンにプロジェクタ装置を正対して載置した上で実際の画像を投影させ、装置本体の傾きや高さ等を本体の下面に装着されているネジ式の脚部の長さを手動調整することでスクリーン上の投影表示範囲を設定するようにしており、きわめて設置時の設定が煩雑であった。
【０００４】
本発明は上記のような実情に鑑みてなされたもので、その目的とするところは、設置時の位置設定をより簡略化することが可能な投影装置、投影方法及びプログラムを提供することにある。
【課題を解決するための手段】
【０００５】
請求項１記載の発明は、画像を投影する投影手段と、この投影手段が投影した画像を撮影する撮影手段と、装置本体の脚部の長さを調整して上記投影手段が投影する画像の少なくとも上下方向の位置を可変する脚長調整機構と、上記撮影手段で撮影した、上記投影手段が投影した画像に基づいて上記脚長調整機構により装置本体の脚部の長さを調整する姿勢制御手段とを具備したことを特徴とする。
【０００６】
請求項２記載の発明は、上記請求項１記載の発明において、上記姿勢制御手段が調整した装置本体の脚部の長さを記憶する記憶手段をさらに具備し、上記姿勢制御手段は、この記憶手段の記憶内容がある際にはその記憶内容に基づいて上記脚長調整手段により装置本体の脚部の長さを調整することを特徴とする。
【０００７】
請求項３記載の発明は、上記請求項１記載の発明において、上記撮影手段は、上記投影手段の投影画角以上の撮影画角を有することを特徴とする。
【０００８】
請求項４記載の発明は、上記請求項１記載の発明において、上記装置本体の複数の脚部が長さ調整が可能であり、上記脚長調整手段は、上記複数の脚部の長さをそれぞれ独立して調整することを特徴とする。
【０００９】
請求項５記載の発明は、上記請求項１記載の発明において、上記姿勢制御手段が装置本体の脚部の長さを調整した後に、上記投影手段による投影画像の自動合焦を実行する焦点制御手段をさらに具備したことを特徴とする。
【００１０】
請求項６記載の発明は、上記請求項１記載の発明において、上記姿勢制御手段が装置本体の脚部の長さを調整した後に、上記投影手段による投影画像の自動台形補正を実行する台形補正制御手段をさらに具備したことを特徴とする。
【００１１】
請求項７記載の発明は、上記請求項１記載の発明において、上記姿勢制御手段が装置本体の脚部の長さを調整した後に、該脚部の長さを任意に調整する指示を受け付けてこれを実行する補正手段をさらに具備したことを特徴とする。
【００１２】
請求項８記載の発明は、画像を投影する投影工程と、この投影工程で投影した画像を撮影する撮影工程と、上記撮影工程で撮影した、上記投影工程で投影した画像に基づいて、装置本体の脚部の長さを調整して上記投影工程で投影する画像の少なくとも高さ方向の位置を可変する姿勢制御工程とを有したことを特徴とする。
【００１３】
請求項９記載の発明は、画像を投影する投影ステップと、この投影工程で投影した画像を撮影する撮影ステップと、上記撮影ステップで撮影した、上記投影ステップで投影した画像に基づいて、装置本体の脚部の長さを調整して上記投影ステップで投影する画像の少なくとも高さ方向の位置を可変する姿勢制御ステップとをコンピュータに実行させることを特徴とする。
【発明の効果】
【００１４】
請求項１記載の発明によれば、投影画像を撮影してその内容から脚部の長さを調整し、投影画像の少なくとも上下方向の位置を自動的に可変するようにしたので、装置をスクリーンに対向するように設置するだけで少なくとも上下方向の位置設定を簡略化することができ、設置時のユーザの負担を大幅に軽減できる。
【００１５】
請求項２記載の発明によれば、上記請求項１記載の発明の効果に加えて、再度同じ場所に装置を設置する際に、記憶しているデータに基づいて脚部の長さを調整することで、より迅速に位置設定を完了することができる。
【００１６】
請求項３記載の発明によれば、上記請求項１記載の発明の効果に加えて、投影画像の全体を確実に撮影することができるため、投影画像からその時点で必要な姿勢制御の方向をより正確に判断することができる。
【００１７】
請求項４記載の発明によれば、上記請求項１記載の発明の効果に加えて、単に装置の仰俯角だけでなく設置位置の凹凸等にも対応して装置の位置設定を完了し、常に正しい方向で画像を投影させることができる。
【００１８】
請求項５記載の発明によれば、上記請求項１記載の発明の効果に加えて、位置設定後に自動合焦を実行することで、確実にピントの合った状態で続く投影動作に移行することができる。
【００１９】
請求項６記載の発明によれば、上記請求項１記載の発明の効果に加えて、位置設定後に自動台形補正を実行することで、正しいアスペクト比の矩形に補正された見易い状態で続く投影動作に移行することができる。
【００２０】
請求項７記載の発明によれば、上記請求項１記載の発明の効果に加えて、自動的に位置設定を行なった後にユーザの微調整操作を受け付けて、よりユーザの望む状態で続く投影動作に移行することができる。
【００２１】
請求項８記載の発明によれば、投影画像を撮影してその内容から脚部の長さを調整し、投影画像の少なくとも上下方向の位置を自動的に可変するようにしたので、装置をスクリーンに対向するように設置するだけで少なくとも上下方向の位置設定を簡略化することができ、設置時のユーザの負担を大幅に軽減できる。
【００２２】
請求項９記載の発明によれば、投影画像を撮影してその内容から脚部の長さを調整し、投影画像の少なくとも上下方向の位置を自動的に可変するようにしたので、装置をスクリーンに対向するように設置するだけで少なくとも上下方向の位置設定を簡略化することができ、設置時のユーザの負担を大幅に軽減できる。
【発明を実施するための最良の形態】
【００２３】
（第１の実施の形態）  
以下本発明をプロジェクタ装置に適用した場合の第１の実施の形態について図面を参照して説明する。
【００２４】
図１は、同実施の形態に係るプロジェクタ装置１０の外観構成を示すもので、図１（Ａ）は主として筐体前面及び上面の、図１（Ｂ）は筐体背面及び下面のそれぞれ配置構成を示す。
【００２５】
図１（Ａ）に示すように、直方体状の本体ケーシング１１の前面に、投影レンズ１２、撮影レンズ１３、及び前面カバー１４が配設される。
【００２６】
投影レンズ１２は、後述するマイクロミラー素子等の空間的光変調素子で形成された光像をスクリーン等の対象に投影するためのものであり、ここでは合焦位置及びズーム位置（投影画角）を任意に可変できるものとする。
【００２７】
撮影レンズ１３は、上記投影レンズ１２で投影された画像を撮影するためのものであり、パララックスを考慮してその撮影中心位置が投影レンズ１２の投影中心位置と略一致するように設けられるもので、上記投影レンズ１２と同様に合焦位置とズーム位置（撮影画角）を任意に可変でき、且つ投影レンズ１２の投影画角よりも大きな撮影画角を選択することができるものとする。
【００２８】
前面カバー１４は、このプロジェクタ装置１０の投影動作時以外、特に携帯時に上記投影レンズ１２と撮影レンズ１３とを保護するべく、手動で左右にスライドさせるもので、その表面側には蓄光リング１５、Ｉｒ受信部１６、及びスライドバー１７が配設される。
【００２９】
蓄光リング１５は、半透明状の蓄光素材を含んだ樹脂製リングが前面カバー１４に埋設して形成されるもので、前面カバー１４を閉じて上記投影レンズ１２等が外部から見えない状態で、プロジェクタ装置１０の光源のランプがオンされて投影レンズ１２から光が放射されているか否かを判断することができる一方で、上述した蓄光素材により光源のランプがオフされた後も微光を発し、薄暗い環境下でもその位置がわかるようになっており、平坦な前面カバー１４のデザイン上のアクセントともなるものである。
【００３０】
Ｉｒ受信部１６は、図示しないこのプロジェクタ装置１０のリモートコントローラからのキー操作信号が重畳された赤外光（Ｉｒ）信号を受信する。
【００３１】
スライドバー１７は、前面カバー１４に埋設された、例えばメッキ処理したステンレス鋼でなる帯状突起であり、前面カバー１４をスライド操作する場合の手がかりとする一方で、上記蓄光リング１５と同様に、平坦な前面カバー１４のデザイン上のアクセントともなるものである。
【００３２】
また、本体ケーシング１１の上面には、キー／インジケータ部１８及びスピーカ１９が配設される。  
キー／インジケータ部１８は、図示はしないが、電源のオン／オフを指示する電源キー、ズームアップ及びズームダウンを指示するズームキー、合焦位置の前方向及び後方向への移動を指示するフォーカスキー、自動合焦（Ａｕｔｏｍａｔｉｃ  Ｆｏｃｕｓ）の即時実行を指示する「ＡＦ」キー、自動台形補正（Ａｕｔｏｍａｔｉｃ  Ｋｅｙｓｔｏｎｅ  ｃｏｒｒｅｃｔｉｏｎ）の即時実行を指示する「ＡＫ」キー、後述する入出力コネクタ部２０に接続された画像信号入力を切換える入力切換キー、自動設置動作時の上下各方向への姿勢制御を手動指示するアップ／ダウンキー、投影動作に関する各種メニュー項目の表示を指示するメニューキー、カーソルキー、Enterキー等の各種操作キーと、電源のオン／オフ状態や画像信号の入力がない状態をＬＥＤの点灯／消灯あるいは点滅により表示する電源／待機インジケータ、画像投影の光源となるランプの温度が投影に適した状態となっているか否かをＬＥＤの点灯／消灯あるいは点滅により表示する温度インジケータ等のインジケータを備える。
【００３３】
スピーカ１９は、動画の再生時等の音声を拡声出力する。
【００３４】
また、図１（Ｂ）に示すように本体ケーシング１１の背面には、入出力コネクタ部２０、Ｉｒ受信部２１、及びＡＣアダプタ接続部２２が配設される。  
入出力コネクタ部２０は、例えばパーソナルコンピュータ等の外部機器との接続のためのＵＳＢ端子、映像入力用のミニＤ−ＳＵＢ端子、Ｓ端子、及びＲＣＡ端子と、音声入力用のステレオミニ端子等からなる。
【００３５】
Ｉｒ受信部２１は、上記Ｉｒ受信部１６と同様に、図示しないリモートコントローラからのキー操作信号が重畳された赤外光（Ｉｒ）信号を受信する。  
ＡＣアダプタ接続部２２は、電源となる図示しないＡＣアダプタからのケーブルを接続する。
【００３６】
さらに、本体ケーシング１１の下面には、その四隅にそれぞれ高さ調節が可能な調整脚部２３ａ，２３ｂ，２３ｃ，２３ｄが取り付けられる。これら調整脚部２３ａ，２３ｂ，２３ｃ，２３ｄはいずれも上記キー／インジケータ部１８でのキー操作によりその長さが調整される。
【００３７】
この図１（Ｂ）の状態では、前側に位置する一対の調整脚部２３ａ，２３ｂが共に若干長く調整されると共に、後側に位置する一対の調整脚部２３ｃ，２３ｄは最も短い状態に調整されている。
【００３８】
したがって、この状態のままのプロジェクタ装置１０を水平な場所に設置した場合、投影レンズ１２の投影光軸が投影レンズ１２の取付け面に対して垂直な方向であるとすれば、実際の投影レンズ１２の投影光軸は若干の仰角をもち、多少上側に向けて投影対象の図示しないスクリーンに出射されることとなる。
【００３９】
そのため、もし投影対象のスクリーンが鉛直方向に張設されるものとすれば、スクリーンの上端に近付くほど投影レンズ１２との距離が大きくなるので、自動台形補正を行なわない状態では、矩形の画像を投影した場合にスクリーン上では、上底の方が下底よりも長い台形の画像が投影表示されることとなる。
【００４０】
次に図２により上記プロジェクタ装置１０の電子回路の機能構成について説明する。図中、入出力コネクタ部２０より入力された各種規格の画像信号が、入出力インタフェース（Ｉ／Ｆ）３１、システムバスＳＢを介して画像変換部３２で所定のフォーマットの画像信号に統一された後に、表示エンコーダ３３へ送られる。
【００４１】
表示エンコーダ３３は、送られてきた画像信号をビデオＲＡＭ３４に展開記憶させた上でこのビデオＲＡＭ３４の記憶内容からビデオ信号を生成して表示駆動部３５に出力する。
【００４２】
この表示駆動部３５は、送られてきた画像信号に対応して適宜フレームレート、例えば３０［フレーム／秒］に従ったより高速な時分割駆動で空間的光変調素子（ＳＯＭ）３６を表示駆動するもので、この空間的光変調素子３６に対して、例えばリフレクタ３７内に配置された超高圧水銀灯等の光源ランプ３８が出射する高輝度の白色光を照射することで、その反射光で光像が形成され、上記投影レンズ１２を介してここでは図示しないスクリーンに投影表示される。
【００４３】
しかるに、上記投影レンズ１２はレンズモータ（Ｍ）３９に駆動されることでズーム位置及びフォーカス位置を適宜移動する。  
また、投影画像の撮影を行なうための上記撮影レンズ１３は、レンズモータ（Ｍ）４０によりズーム位置及びフォーカス位置が移動されるもので、この上記撮影レンズ１３の光軸上に配置された、固体撮像素子であるＣＣＤ４１の撮像面に結像すると、ＣＣＤ４１から対応するアナログ値の画像信号が生成され、プロセス回路４２に送られる。
【００４４】
このプロセス回路４２は、ＣＣＤ４０で得た画像信号をデジタル化し、画素補間処理及びγ補正処理を含むカラープロセス処理を実施した上でデジタル値の輝度信号Ｙ及び色差信号Ｃｂ，Ｃｒを生成し、システムバスＳＢを介して上記画像変換部３２に出力する。
【００４５】
画像変換部３２は、輝度及び色差信号をＡＤＣＴ、ハフマン符号化等の処理によりデータ圧縮し、得た画像データを、このプロジェクタ装置１０の記録媒体として装着される画像記憶部４３に書込む。
【００４６】
画像記憶部４３は、例えばフラッシュメモリ等でなり、撮影により得た画像データの他に、後述するチャートパターン画像の画像データ等を記憶する。  
また、この画像記憶部４３に記録された画像データを読出して投影表示する際には、画像記憶部４３に記録されている画像データを読出し、上記画像変換部３２で圧縮されている画像データを伸長し、伸長した画像データを上記表示エンコーダ３３へ送出して、ビデオＲＡＭ３４、表示駆動部３５を介して空間的光変調素子３６を駆動させ、光源ランプ３８の出射光を照射してその反射光により光像を形成し、投影レンズ１２を介して投影表示する。
【００４７】
上記各回路のすべての動作制御を司るのが制御部４４であり、この制御部４４は、ＣＰＵと、後述する電源投入当初の初期位置設定の処理を含む該ＣＰＵで実行される動作プログラムを記憶した不揮発性メモリ、及びワークメモリ等により構成される。
【００４８】
この制御部４４にはまた、システムバスＳＢを介して姿勢制御部４５、及び音声処理部４６が接続される。  
姿勢制御部４５は、上記制御部４４の制御の下に、上記本体ケーシング１１の下面に装着された上記調整脚部２３ａ，２３ｂ，２３ｃ，２３ｄにそれぞれ接続された各モータ（Ｍ）４７ａ〜４７ｄを個別に回転駆動し、上記調整脚部２３ａ，２３ｂ，２３ｃ，２３ｄの長さを調整することで、設置されている本体ケーシング１１の姿勢を制御する。
【００４９】
音声処理部４６は、ＰＣＭ音源等の音源回路を備え、投影表示動作時に与えられる音声データをアナログ化し、上記スピーカ１９を駆動して拡声放音させる。  
なお、上記キー／インジケータ部１８におけるキー操作信号は直接制御部４４に入力され、また制御部４４は上記キー／インジケータ部１８の電源／待機インジケータ及び温度インジケータ等を直接点灯／点滅駆動する一方で、上記前面カバー１４に設けられたＩｒ受信部１６及び本体ケーシング１１の背面側に設けられるＩｒ受信部３４での赤外光受信信号も直接制御部４４に入力される。
【００５０】
次に上記実施の形態の動作について説明する。  
図３は、電源が切断されている状態からキー／インジケータ部１８の電源キーが操作されて電源を投入する当初に実行される、初期のプロジェクタ装置１０の設置に対応した位置設定の処理内容を示すもので、その制御は制御部４４が内部の不揮発性メモリに記憶されている動作プログラムに基づいて実行する。
【００５１】
その処理当初には、光源ランプ３８への通電を開始して点灯駆動させると共に（ステップＡ０１）、撮影レンズ１３の撮影画角がその時点での投影レンズ１２のズーム位置の投影画角より広くなるようにそのズーム位置を広角側にセットする（ステップＡ０２）。
【００５２】
その後、画像記憶部４３からチャートパターン画像の画像データを読出して空間的光変調素子３６に送り、ビデオＲＡＭ３４、表示駆動部３５を介して空間的光変調素子３６を表示駆動することで光源ランプ３８からの照射光により該チャートパターン画像を投影表示させる（ステップＡ０３）。
【００５３】
図４は、このとき投影対象となるスクリーンＳＣに投影表示されるチャートパターン画像を例示するものである。なお、図中に黒で表す部分が実際の投影画像では白色の明るい部分、図中の白で表す部分が実際の投影画像では暗い部分となるものとする。
【００５４】
図示する如くこのチャートパターン画像は、投影範囲の最外周部に位置する同心状の３重の矩形と、中心に位置する、これも同心状の２重の矩形とからなる。
【００５５】
同図はこのチャートパターン画像がある程度の余裕を持ってスクリーンＳＣの中央に位置しており、結果として、さらなるプロジェクタ装置１０の位置設定を行なう必要がない状態を例示するものであるが、実際にはプロジェクタ装置１０を設置して電源を投入するだけでチャートパターン画像が上記図４のような位置に投影されることはきわめて稀であり、画像の最外周部に位置する矩形の一部がスクリーンＳＣの範囲から外れてしまうことも充分あり得る。
【００５６】
しかして、上記のようなチャートパターン画像を投影した状態から、その投影画像を撮影レンズ１３、ＣＣＤ４１、プロセス回路４２を含む撮影系により画像のコントラストが最も高くなるように撮影レンズ１３中のフォーカスレンズの位置を可変設定することにより、自動合焦（ＡＦ）処理を行ない（ステップＡ０４）、自動合焦位置を得るとその合焦状態で撮像を実行する（ステップＡ０５）。
【００５７】
そして、得た撮影画像から正しいチャートパターン画像が投影されているか否かを判断する（ステップＡ０６）。  
これは、例えば上記図４に示したチャートパターン画像中の水平ラインＬ１０に沿った３カ所Ｐ１１〜Ｐ１３が投影範囲に収まっているか否か、垂直ラインＬ２０に沿った３カ所Ｐ２１〜Ｐ２３が投影範囲に収まっているか否かをそれぞれ各部分範囲のコントラスト値により判断するものである。
【００５８】
ここで正しいチャートパターン画像が得られなかったと判断した場合、その得られなかった欠損部分に対応した方向で姿勢制御部４５によりモータ４７ａ〜４７ｄを適宜回転駆動させることで、調整脚部２３ａ，２３ｂ，２３ｃ，２３ｄの高さ調整を実行させる（ステップＡ０７）。
【００５９】
これは例えば、上記図４のチャートパターン画像中で下側の１カ所Ｐ２３のパターンが検出されなかった際には、投影レンズ１２がやや下側に向きすぎているものとして、姿勢制御部４５がモータ４７ａ，４７ｂを一定回転数分だけ回転駆動し、本体ケーシング１１の前側に位置する一対の調整脚部２３ａ，２３ｂを所定長さ分だけ長くなるようにすることで、本体ケーシング１１の仰角を所定分増して、投影されるチャートパターン画像全体を上方に移動調整させるものである。
【００６０】
反対に、上記図４のチャートパターン画像中で上側の１カ所Ｐ２１のパターンが検出されなかった際には、投影レンズ１２がやや上側に向きすぎているものとして、姿勢制御部４５がモータ４７ｃ，４７ｄを一定回転数分だけ回転駆動し、本体ケーシング１１の後側に位置する一対の調整脚部２３ｃ，２３ｄを所定長さ分だけ長くなるようにする（前側の調整脚部２３ａ，２３ｂが既に伸びていれば、調整脚部２３ａ，２３ｂを短くするようにしても良い。）ことで、本体ケーシング１１の仰角を所定分減じて、投影されるチャートパターン画像全体を下方に移動調整させるものである。
【００６１】
このように、所定分だけ投影されるチャートパターン画像の高さ調整を行なった後に、再び上記ステップＡ０４からの処理に戻る。
【００６２】
しかして、ステップＡ０４〜Ａ０７の処理を必要により繰返して実行することにより、正しいチャートパターン画像が投影されるようになると、ステップＡ０６でこれを判断し、その時点でビデオＲＡＭ３４に展開記憶しているチャートパターン画像の画像データを消去し、その投影を停止する（ステップＡ０８）。
【００６３】
次いで撮影レンズ１３の画角を上記ステップＡ０２で広角側にセットしていた状態から標準の状態、例えば投影レンズ１２の投影画角と等しくなる状態にまで戻す（ステップＡ０９）。
【００６４】
以後、本体ケーシング１１上面のキー／インジケータ部１８、あるいは図示しないリモートコントローラからのキー操作によりさらに調整脚部２３ａ，２３ｂ，２３ｃ，２３ｄの長さを調整して画像の投影位置を上下に移動させるアップ／ダウンキーの指示があるか否か（ステップＡ１０）、入出力コネクタ部２０、入出力インタフェース３１を介してなんらかの映像信号の入力があるか否か（ステップＡ１１）を繰返し判断することで、これらのいずれかの状態となるのを待機する。
【００６５】
ステップＡ１０で調整脚部２３ａ，２３ｂ，２３ｃ，２３ｄの長さを調整して画像の投影位置を上下に移動させるアップ／ダウンキーの操作指示があったと判断した場合、その指示された内容にしたがって装置の前側に位置している一対の調整脚部２３ａ，２３ｂの長さを所定分だけ伸縮するか、後側に位置している一対の調整脚部２３ｃ，２３ｄを所定分だけ伸縮するかを適宜判断し、投影される画像の上下位置を調整し（ステップＡ１２）、再び上記ステップＡ１０からの処理に戻る。
【００６６】
そして、ステップＡ１１でなんらかの映像信号の入力があったと判断した時点で、この図３による一連の電源投入当初の投影位置の自動設定の処理を終了し、通常の投影動作に移行する。
【００６７】
このように、プロジェクタ装置１０を設置して電源投入操作を行なうとすぐに、予め記憶していたチャートパターン画像を投影すると共にその投影された状態を撮影し、その内容から調整脚部２３ａ，２３ｂ，２３ｃ，２３ｄの長さを調整して、投影される画像の少なくとも上下方向の位置を自動的に可変するようにしたので、ユーザはプロジェクタ装置１０をスクリーンに対向するように設置するだけで、少なくとも上下方向の位置設定を簡略化することができ、設置時のユーザの負担を大幅に軽減できる。
【００６８】
加えて、このチャートパターン画像を投影している状態では、撮影レンズ１３の撮影画角が投影レンズ１２の投影画角より広くなるように設定することで、確実に投影されるチャートパターン画像全体を撮影することができるため、投影される画像からその時点で必要な姿勢制御の方向をより正確に判断することができる。
【００６９】
また、上記実施の形態では、調整脚部２３ａ，２３ｂ，２３ｃ，２３ｄの前側の一対調整脚部２３ａ，２３ｂと後側の一対調整脚部２３ｃ，２３ｄをそれぞれ共にその長さを調整し、投影される画像の上下位置を調整するものとして説明したが、各調整脚部２３ａ，２３ｂ，２３ｃ，２３ｄに対応してモータ４７ａ〜４７ｄを個別に回転駆動し、左右方向の傾きも考慮して位置調整することにより、例えばプロジェクタ装置１０を設置する位置がでこぼこであったり、あるいは全体に左右いずれかの方向に傾いている場合であっても、投影レンズ１２により投影される画像を正しい角度とすることができる。
【００７０】
さらに、上記ステップＡ０４〜Ａ０９の処理により自動的に投影される画像の位置を調整した後に、ユーザによる任意の微調整操作を受け付けることとしたので、よりユーザの望む状態を実現した上で、続く投影動作に移行することができる。
【００７１】
（第２の実施の形態）  
以下本発明をプロジェクタ装置に適用した場合の第２の実施の形態について図面を参照して説明する。
【００７２】
なお、当該プロジェクタ装置の外観構成については上記図１に示したものと、また電子回路の機能構成については上記図２に示したものとそれぞれほぼ基本的には同様であるものとし、同一部分には同一符号を用いるものとして、それらの図示と説明は省略する。
【００７３】
次に上記実施の形態の動作について説明する。  
図５は、電源が切断されている状態からキー／インジケータ部１８の電源キーが操作されて電源を投入する当初に実行される、初期のプロジェクタ装置１０の設置に対応した位置設定の処理内容を示すもので、その制御は制御部４４が内部の不揮発性メモリに記憶されている動作プログラムに基づいて実行する。
【００７４】
その処理当初には、光源ランプ３８への通電を開始して点灯駆動させると共に（ステップＢ０１）、画像記憶部４３に調整脚部２３ａ，２３ｂ，２３ｃ，２３ｄの高さに関するデータが予め記憶されているか否かを判断する（ステップＢ０２）。
【００７５】
ここで、調整脚部２３ａ，２３ｂ，２３ｃ，２３ｄの高さに関するデータが記憶されていないと判断した場合には、あらためて撮影レンズ１３の撮影画角がその時点での投影レンズ１２のズーム位置の投影画角より広くなるようにそのズーム位置を広角側にセットする（ステップＢ０３）。
【００７６】
その後、画像記憶部４３からチャートパターン画像の画像データを読出して空間的光変調素子３６に送り、ビデオＲＡＭ３４、表示駆動部３５を介して空間的光変調素子３６を表示駆動することで光源ランプ３８からの照射光により該チャートパターン画像を投影表示させる（ステップＢ０４）。
【００７７】
図４は、このとき投影対象となるスクリーンＳＣに投影表示されるチャートパターン画像を例示するものである。なお、図中に黒で表す部分が実際の投影画像では白色の明るい部分、図中の白で表す部分が実際の投影画像では暗い部分となるものとする。
【００７８】
図示する如くこのチャートパターン画像は、投影範囲の最外周部に位置する同心状の３重の矩形と、中心に位置する、これも同心状の２重の矩形とからなる。
【００７９】
同図はこのチャートパターン画像がある程度の余裕を持ってスクリーンＳＣの中央に位置しており、結果として、さらなるプロジェクタ装置１０の位置設定を行なう必要がない状態を例示するものであるが、実際にはプロジェクタ装置１０を設置して電源を投入するだけでチャートパターン画像が上記図４のような位置に投影されることはきわめて稀であり、画像の最外周部に位置する矩形の一部がスクリーンＳＣの範囲から外れてしまうことも充分あり得る。
【００８０】
しかして、上記のようなチャートパターン画像を投影した状態から、その投影画像を撮影レンズ１３、ＣＣＤ４１、プロセス回路４２を含む撮影系により画像のコントラストが最も高くなるように撮影レンズ１３中のフォーカスレンズの位置を可変設定することにより、自動合焦（ＡＦ）処理を行ない（ステップＢ０５）、自動合焦位置を得るとその合焦状態で撮像を実行する（ステップＢ０６）。
【００８１】
そして、得た撮影画像から正しいチャートパターン画像が投影されているか否かを判断する（ステップＢ０７）。  
これは、例えば上記図４に示したチャートパターン画像中の水平ラインＬ１０に沿った３カ所Ｐ１１〜Ｐ１３が投影範囲に収まっているか否か、垂直ラインＬ２０に沿った３カ所Ｐ２１〜Ｐ２３が投影範囲に収まっているか否かをそれぞれ各部分範囲のコントラスト値により判断するものである。
【００８２】
ここで正しいチャートパターン画像が得られなかったと判断した場合、その得られなかった欠損部分に対応した方向で姿勢制御部４５によりモータ４７ａ〜４７ｄを適宜回転駆動させることで、調整脚部２３ａ，２３ｂ，２３ｃ，２３ｄの高さ調整を実行させる（ステップＢ０８）。
【００８３】
これは例えば、上記図４のチャートパターン画像中で下側の１カ所Ｐ２３のパターンが検出されなかった際には、投影レンズ１２がやや下側に向きすぎているものとして、姿勢制御部４５がモータ４７ａ，４７ｂを一定回転数分だけ回転駆動し、本体ケーシング１１の前側に位置する一対の調整脚部２３ａ，２３ｂを所定長さ分だけ長くなるようにすることで、本体ケーシング１１の仰角を所定分増して、投影されるチャートパターン画像全体を上方に移動調整させるものである。
【００８４】
反対に、上記図４のチャートパターン画像中で上側の１カ所Ｐ２１のパターンが検出されなかった際には、投影レンズ１２がやや上側に向きすぎているものとして、姿勢制御部４５がモータ４７ｃ，４７ｄを一定回転数分だけ回転駆動し、本体ケーシング１１の後側に位置する一対の調整脚部２３ｃ，２３ｄを所定長さ分だけ長くなるようにする（前側の調整脚部２３ａ，２３ｂが既に伸びていれば、調整脚部２３ａ，２３ｂを短くするようにしても良い。）ことで、本体ケーシング１１の仰角を所定分減じて、投影されるチャートパターン画像全体を下方に移動調整させるものである。
【００８５】
このように、所定分だけ投影されるチャートパターン画像の高さ調整を行なった後に、再び上記ステップＢ０５からの処理に戻る。
【００８６】
しかして、ステップＢ０５〜Ｂ０８の処理を必要により繰返して実行することにより、正しいチャートパターン画像が投影されるようになると、ステップＢ０７でこれを判断し、その時点での調整脚部２３ａ，２３ｂ，２３ｃ，２３ｄの各長さを表すデータを作成して１組の纏め、纏めたデータを画像記憶部４３に上書き記憶させた上で（ステップＢ０９）、ビデオＲＡＭ３４に展開記憶しているチャートパターン画像の画像データを消去し、その投影を停止する（ステップＢ１０）。
【００８７】
次いで撮影レンズ１３の画角を上記ステップＢ０２で広角側にセットしていた状態から標準の状態、例えば投影レンズ１２の投影画角と等しくなる状態にまで戻す（ステップＢ１１）。
【００８８】
以後、本体ケーシング１１上面のキー／インジケータ部１８、あるいは図示しないリモートコントローラからのアップ／ダウンキーの操作によりさらに調整脚部２３ａ，２３ｂ，２３ｃ，２３ｄの長さを調整して画像の投影位置を上下に移動させる指示があるか否か（ステップＢ１２）、入出力コネクタ部２０、入出力インタフェース３１を介してなんらかの映像信号の入力があるか否か（ステップＢ１３）を繰返し判断することで、これらのいずれかの状態となるのを待機する。
【００８９】
ステップＢ１０で調整脚部２３ａ，２３ｂ，２３ｃ，２３ｄの長さを調整して画像の投影位置を上下に移動させるアップ／ダウンキーの操作指示があったと判断した場合、その指示された内容にしたがって装置の前側に位置している一対の調整脚部２３ａ，２３ｂの長さを所定分だけ伸縮するか、後側に位置している一対の調整脚部２３ｃ，２３ｄを所定分だけ伸縮するかを適宜判断し、投影される画像の上下位置を調整し（ステップＢ１４）、再び上記ステップＢ１２からの処理に戻る。
【００９０】
そして、ステップＢ１３でなんらかの映像信号の入力があったと判断した時点で、この図５による一連の電源投入当初の投影位置の自動設定の処理を終了し、通常の投影動作に移行する。
【００９１】
また、上記ステップＢ０２で画像記憶部４３に調整脚部２３ａ，２３ｂ，２３ｃ，２３ｄの高さに関するデータが予め記憶されていると判断した場合には、光源ランプ３８の点灯を開始しただけの、まだ何も具体的な画像を投影していない状態から、文字列によるガイドメッセージ、例えば  
「設置位置のデータが記憶されています。  
そのデータを使いますか？
使う場合は５秒以内にEnterキーを操作してください」  
のような確認画像をビデオＲＡＭ３４に展開記憶させて画像として投影させ、その画像に対して所定のキー操作がなされたか否かによりデータを使用するか否かを判断する（ステップＢ１５）。
【００９２】
ここで、なんら応答のないままに一定時間（例えば５［秒］）が経過した場合には、記憶していたデータを使用しないものとして上記ステップＢ０３からの新たな高さ調整を行なう処理に移行する。
【００９３】
また、投影表示した一定時間内にその指定したキー操作がなされた場合には、記憶していたデータを使用するものとして、上記ステップＢ０３〜Ｂ１１の処理は省略し、代わって記憶していたデータ通りに姿勢制御部４５によりモータ４７ａ〜４７ｄをそれぞれ回転駆動させて調整脚部２３ａ，２３ｂ，２３ｃ，２３ｄの各長さを調整して設定し、記憶していた前回と同様のプロジェクタ装置１０の設置状態を再現した上で（ステップＢ１６）、上記ステップＢ１２からの処理に移行する。
【００９４】
このように、再度同じ場所に装置を設置する際には、記憶しているデータに基づいて調整脚部２３ａ，２３ｂ，２３ｃ，２３ｄの長さを自動的に調整することで、より迅速に位置設定を完了することができる。
【００９５】
なお、上記実施の形態では、画像記憶部４３に調整脚部２３ａ，２３ｂ，２３ｃ，２３ｄの長さに関するデータが単に記憶されているか否か、換言すれば１組の調整脚部２３ａ，２３ｂ，２３ｃ，２３ｄの長さに関するデータがあった場合にそのデータを使用するかどうかを判断するようにしたが、複数組のデータを記憶可能とし、それらのいずれかを使用するか、新たに調整脚部２３ａ，２３ｂ，２３ｃ，２３ｄの長さの調整をするかを判断するようにすれば、このプロジェクタ装置１０を設置する複数箇所に対応したそれぞれの設置データを記憶させることができるものとなる。
【００９６】
（第３の実施の形態）  
以下本発明をプロジェクタ装置に適用した場合の第３の実施の形態について図面を参照して説明する。
【００９７】
なお、当該プロジェクタ装置の外観構成については上記図１に示したものと、また電子回路の機能構成については上記図２に示したものとそれぞれほぼ基本的には同様であるものとし、同一部分には同一符号を用いるものとして、それらの図示と説明は省略する。
【００９８】
次に上記実施の形態の動作について説明する。  
図６は、電源が切断されている状態からキー／インジケータ部１８の電源キーが操作されて電源を投入する当初に実行される、初期のプロジェクタ装置１０の設置に対応した位置設定の処理内容を示すもので、その制御は制御部４４が内部の不揮発性メモリに記憶されている動作プログラムに基づいて実行する。
【００９９】
その処理当初には、光源ランプ３８への通電を開始して点灯駆動させると共に（ステップＣ０１）、撮影レンズ１３の撮影画角がその時点での投影レンズ１２のズーム位置の投影画角より広くなるようにそのズーム位置を広角側にセットする（ステップＣ０２）。
【０１００】
その後、画像記憶部４３からチャートパターン画像の画像データを読出して空間的光変調素子３６に送り、ビデオＲＡＭ３４、表示駆動部３５を介して空間的光変調素子３６を表示駆動することで光源ランプ３８からの照射光により該チャートパターン画像を投影表示させる（ステップＣ０３）。
【０１０１】
図４は、このとき投影対象となるスクリーンＳＣに投影表示されるチャートパターン画像を例示するものである。なお、図中に黒で表す部分が実際の投影画像では白色の明るい部分、図中の白で表す部分が実際の投影画像では暗い部分となるものとする。
【０１０２】
図示する如くこのチャートパターン画像は、投影範囲の最外周部に位置する同心状の３重の矩形と、中心に位置する、これも同心状の２重の矩形とからなる。
【０１０３】
同図はこのチャートパターン画像がある程度の余裕を持ってスクリーンＳＣの中央に位置しており、結果として、さらなるプロジェクタ装置１０の位置設定を行なう必要がない状態を例示するものであるが、実際にはプロジェクタ装置１０を設置して電源を投入するだけでチャートパターン画像が上記図４のような位置に投影されることはきわめて稀であり、画像の最外周部に位置する矩形の一部がスクリーンＳＣの範囲から外れてしまうことも充分あり得る。
【０１０４】
しかして、上記のようなチャートパターン画像を投影した状態から、その投影画像を撮影レンズ１３、ＣＣＤ４１、プロセス回路４２を含む撮影系により画像のコントラストが最も高くなるように撮影レンズ１３中のフォーカスレンズの位置を可変設定することにより、自動合焦（ＡＦ）処理を行ない（ステップＣ０４）、自動合焦位置を得るとその合焦状態で撮像を実行する（ステップＣ０５）。
【０１０５】
そして、得た撮影画像から正しいチャートパターン画像が投影されているか否かを判断する（ステップＣ０６）。  
これは、例えば上記図４で示したチャートパターン画像中の水平ラインＬ１０に沿った３カ所Ｐ１１〜Ｐ１３が投影範囲に収まっているか否か、垂直ラインＬ２０に沿った３カ所Ｐ２１〜Ｐ２３が投影範囲に収まっているか否かをそれぞれ各部分範囲のコントラスト値により判断するものである。
【０１０６】
ここで正しいチャートパターン画像が得られなかったと判断した場合、その得られなかった欠損部分に対応した方向で姿勢制御部４５によりモータ４７ａ〜４７ｄを適宜回転駆動させることで、調整脚部２３ａ，２３ｂ，２３ｃ，２３ｄの高さ調整を実行させる（ステップＣ０７）。
【０１０７】
これは例えば、上記図４のチャートパターン画像中で下側の１カ所Ｐ２３のパターンが検出されなかった際には、投影レンズ１２がやや下側に向きすぎているものとして、姿勢制御部４５がモータ４７ａ，４７ｂを一定回転数分だけ回転駆動し、本体ケーシング１１の前側に位置する一対の調整脚部２３ａ，２３ｂを所定長さ分だけ長くなるようにすることで、本体ケーシング１１の仰角を所定分増して、投影されるチャートパターン画像全体を上方に移動調整させるものである。
【０１０８】
反対に、上記図４のチャートパターン画像中で上側の１カ所Ｐ２１のパターンが検出されなかった際には、投影レンズ１２がやや上側に向きすぎているものとして、姿勢制御部４５がモータ４７ｃ，４７ｄを一定回転数分だけ回転駆動し、本体ケーシング１１の後側に位置する一対の調整脚部２３ｃ，２３ｄを所定長さ分だけ長くなるようにする（前側の調整脚部２３ａ，２３ｂが既に伸びていれば、調整脚部２３ａ，２３ｂを短くするようにしても良い。）ことで、本体ケーシング１１の仰角を所定分減じて、投影されるチャートパターン画像全体を下方に移動調整させるものである。
【０１０９】
このように、所定分だけ投影されるチャートパターン画像の高さ調整を行なった後に、再び上記ステップＣ０４からの処理に戻る。
【０１１０】
しかして、ステップＣ０４〜Ｃ０７の処理を必要により繰返して実行することにより、正しいチャートパターン画像が投影されるようになると、ステップＣ０６でこれを判断し、その時点でビデオＲＡＭ３４に展開記憶しているチャートパターン画像の画像データを消去し、その投影を停止する（ステップＣ０８）。
【０１１１】
次いで撮影レンズ１３の画角を上記ステップＣ０２で広角側にセットしていた状態から標準の状態、例えば投影レンズ１２の投影画角と等しくなる状態にまで戻す（ステップＣ０９）。
【０１１２】
以後、本体ケーシング１１上面のキー／インジケータ部１８、あるいは図示しないリモートコントローラからのアップ／ダウンキーの操作によりさらに調整脚部２３ａ，２３ｂ，２３ｃ，２３ｄの長さを調整して画像の投影位置を上下に移動させる指示があるか否かを判断し（ステップＣ１０）、続けて投影画像の自動合焦処理を実行した後に（ステップＣ１１）、入出力コネクタ部２０、入出力インタフェース３１を介してなんらかの映像信号の入力があるか否かを判断する（ステップＣ１２）、という処理を繰返し実行することで、これらのいずれかの状態となるのを待機する。
【０１１３】
ここで上記ステップＣ１１の自動合焦処理に関しては、例えば上記図４で示したようなチャートパターン画像、あるいは他の画像を一時的に投影して撮影レンズ１３、ＣＣＤ４１を含む撮影系で最もコントラストが高くなるフォーカスレンズの駆動位置からスクリーンまでの距離を得、得た距離値により投影レンズ１２のフォーカスレンズ位置を駆動するようにしてもよいし、さらには撮影レンズ１３側でほぼパンフォーカス効果が得られるような、最も被写界深度が深くなるような露光状態を設定した上で投影レンズ１２側のフォーカスレンズの位置を順次駆動して、撮影系で撮影画像から得られるコントラスト値が最も高くなった時点で投影レンズ１２のフォーカスレンズの位置駆動を停止させるようにしてもよい。
【０１１４】
しかして、ステップＣ１０で調整脚部２３ａ，２３ｂ，２３ｃ，２３ｄの長さを調整して画像の投影位置を上下に移動させるアップ／ダウンキーの操作指示があったと判断した場合、その指示された内容にしたがって装置の前側に位置している一対の調整脚部２３ａ，２３ｂの長さを所定分だけ伸縮するか、後側に位置している一対の調整脚部２３ｃ，２３ｄを所定分だけ伸縮するかを適宜判断し、投影される画像の上下位置を調整した後（ステップＣ１３）、上記ステップＣ１１に進んでその位置調整に伴なう自動合焦処理を実行させる。
【０１１５】
また、ステップＣ１２でなんらかの映像信号の入力があったと判断した時点で、この図６による一連の電源投入当初の投影位置の自動設定の処理を終了し、通常の投影動作に移行する。
【０１１６】
このように、位置設定を行なった後に投影画像の自動合焦を実行することにより、ピントがより正確にあった状態で続く投影動作に移行することができる。
【０１１７】
（第４の実施の形態）  
以下本発明をプロジェクタ装置に適用した場合の第４の実施の形態について図面を参照して説明する。
【０１１８】
なお、当該プロジェクタ装置の外観構成については上記図１に示したものと、また電子回路の機能構成については上記図２に示したものとそれぞれほぼ基本的には同様であるものとし、同一部分には同一符号を用いるものとして、それらの図示と説明は省略する。
【０１１９】
次に上記実施の形態の動作について説明する。  
図７は、電源が切断されている状態からキー／インジケータ部１８の電源キーが操作されて電源を投入する当初に実行される、初期のプロジェクタ装置１０の設置に対応した位置設定の処理内容を示すもので、その制御は制御部４４が内部の不揮発性メモリに記憶されている動作プログラムに基づいて実行する。
【０１２０】
その処理当初には、光源ランプ３８への通電を開始して点灯駆動させると共に（ステップＤ０１）、撮影レンズ１３の撮影画角がその時点での投影レンズ１２のズーム位置の投影画角より広くなるようにそのズーム位置を広角側にセットする（ステップＤ０２）。
【０１２１】
その後、画像記憶部４３からチャートパターン画像の画像データを読出して空間的光変調素子３６に送り、ビデオＲＡＭ３４、表示駆動部３５を介して空間的光変調素子３６を表示駆動することで光源ランプ３８からの照射光により該チャートパターン画像を投影表示させる（ステップＤ０３）。
【０１２２】
図４は、このとき投影対象となるスクリーンＳＣに投影表示されるチャートパターン画像を例示するものである。なお、図中に黒で表す部分が実際の投影画像では白色の明るい部分、図中の白で表す部分が実際の投影画像では暗い部分となるものとする。
【０１２３】
図示する如くこのチャートパターン画像は、投影範囲の最外周部に位置する同心状の３重の矩形と、中心に位置する、これも同心状の２重の矩形とからなる。
【０１２４】
同図はこのチャートパターン画像がある程度の余裕を持ってスクリーンＳＣの中央に位置しており、結果として、さらなるプロジェクタ装置１０の位置設定を行なう必要がない状態を例示するものであるが、実際にはプロジェクタ装置１０を設置して電源を投入するだけでチャートパターン画像が上記図４のような位置に投影されることはきわめて稀であり、画像の最外周部に位置する矩形の一部がスクリーンＳＣの範囲から外れてしまうことも充分あり得る。
【０１２５】
しかして、上記のようなチャートパターン画像を投影した状態から、その投影画像を撮影レンズ１３、ＣＣＤ４１、プロセス回路４２を含む撮影系により画像のコントラストが最も高くなるように撮影レンズ１３中のフォーカスレンズの位置を可変設定することにより、自動合焦（ＡＦ）処理を行ない（ステップＤ０４）、自動合焦位置を得るとその合焦状態で撮像を実行する（ステップＤ０５）。
【０１２６】
そして、得た撮影画像から正しいチャートパターン画像が投影されているか否かを判断する（ステップＤ０６）。  
これは、例えば上記図４で示したチャートパターン画像中の水平ラインＬ１０に沿った３カ所Ｐ１１〜Ｐ１３が投影範囲に収まっているか否か、垂直ラインＬ２０に沿った３カ所Ｐ２１〜Ｐ２３が投影範囲に収まっているか否かをそれぞれ各部分範囲のコントラスト値により判断するものである。
【０１２７】
ここで正しいチャートパターン画像が得られなかったと判断した場合、その得られなかった欠損部分に対応した方向で姿勢制御部４５によりモータ４７ａ〜４７ｄを適宜回転駆動させることで、調整脚部２３ａ，２３ｂ，２３ｃ，２３ｄの高さ調整を実行させる（ステップＤ０７）。
【０１２８】
これは例えば、上記図４のチャートパターン画像中で下側の１カ所Ｐ２３のパターンが検出されなかった際には、投影レンズ１２がやや下側に向きすぎているものとして、姿勢制御部４５がモータ４７ａ，４７ｂを一定回転数分だけ回転駆動し、本体ケーシング１１の前側に位置する一対の調整脚部２３ａ，２３ｂを所定長さ分だけ長くなるようにすることで、本体ケーシング１１の仰角を所定分増して、投影されるチャートパターン画像全体を上方に移動調整させるものである。
【０１２９】
反対に、上記図４のチャートパターン画像中で上側の１カ所Ｐ２１のパターンが検出されなかった際には、投影レンズ１２がやや上側に向きすぎているものとして、姿勢制御部４５がモータ４７ｃ，４７ｄを一定回転数分だけ回転駆動し、本体ケーシング１１の後側に位置する一対の調整脚部２３ｃ，２３ｄを所定長さ分だけ長くなるようにする（前側の調整脚部２３ａ，２３ｂが既に伸びていれば、調整脚部２３ａ，２３ｂを短くするようにしても良い。）ことで、本体ケーシング１１の仰角を所定分減じて、投影されるチャートパターン画像全体を下方に移動調整させるものである。
【０１３０】
このように、所定分だけ投影されるチャートパターン画像の高さ調整を行なった後に、再び上記ステップＤ０４からの処理に戻る。
【０１３１】
しかして、ステップＤ０４〜Ｄ０７の処理を必要により繰返して実行することにより、正しいチャートパターン画像が投影されるようになると、ステップＤ０６でこれを判断し、その時点でビデオＲＡＭ３４に展開記憶しているチャートパターン画像の画像データを消去し、その投影を停止する（ステップＤ０８）。
【０１３２】
次いで撮影レンズ１３の画角を上記ステップＤ０２で広角側にセットしていた状態から標準の状態、例えば投影レンズ１２の投影画角と等しくなる状態にまで戻す（ステップＤ０９）。
【０１３３】
以後、本体ケーシング１１上面のキー／インジケータ部１８、あるいは図示しないリモートコントローラからのアップ／ダウンキーの操作によりさらに調整脚部２３ａ，２３ｂ，２３ｃ，２３ｄの長さを調整して画像の投影位置を上下に移動させる指示があるか否かを判断し（ステップＤ１０）、続けて投影画像の自動台形補正処理を実行した後に（ステップＤ１１）、入出力コネクタ部２０、入出力インタフェース３１を介してなんらかの映像信号の入力があるか否かを判断する（ステップＤ１２）、という処理を繰返し実行することで、これらのいずれかの状態となるのを待機する。
【０１３４】
ここで上記ステップＤ１１の自動台形補正処理に関しては、例えば上記図４で示したようなチャートパターン画像を一時的に投影して水平ラインＬ１０に沿ったＰ１１〜Ｐ１３、垂直ラインＬ２０に沿ったＰ２１〜Ｐ２３までの各距離値を測定し、測定した結果からスクリーンＳＣが全体にどのような方向で投影光軸に対して傾いているのかを算出し、その傾きを打ち消してスクリーンＳＣ上で適正なアスペクト比の矩形が表示されるような自動台形補正演算を実行して、空間的光変調素子３６で予め反対の方向に歪めた画像を表示駆動するものである。
【０１３５】
しかして、ステップＤ１０で調整脚部２３ａ，２３ｂ，２３ｃ，２３ｄの長さを調整して画像の投影位置を上下に移動させるアップ／ダウンキーの操作指示があったと判断した場合、その指示された内容にしたがって装置の前側に位置している一対の調整脚部２３ａ，２３ｂの長さを所定分だけ伸縮するか、後側に位置している一対の調整脚部２３ｃ，２３ｄを所定分だけ伸縮するかを適宜判断し、投影される画像の上下位置を調整した後（ステップＤ１３）、上記ステップＤ１１に進んでその位置調整に伴なう自動台形補正処理を実行させる。
【０１３６】
また、ステップＤ１２でなんらかの映像信号の入力があったと判断した時点で、この図６による一連の電源投入当初の投影位置の自動設定の処理を終了し、通常の投影動作に移行する。
【０１３７】
このように、位置設定を行なった後に投影画像の自動台形補正を実行することで、正しいアスペクト比の矩形に補正された見易い状態で続く投影動作に移行することができる。
【０１３８】
なお、上記第１乃至第４の実施の形態は、いずれも投影系と共に設けられる撮影系の回路でコントラスト方式の自動合焦処理を行なうものとして説明したが、本発明はこれに限らず、赤外線あるいは超音波等を発信してその反射波を受信することで対象位置までの距離を測定するアクティブ方式の自動合焦を行なうものとしてもよい。
【０１３９】
また、上記第１乃至第４の実施の形態では、いずれも電源投入当初の初期化動作として調整脚部２３ａ，２３ｂ，２３ｃ，２３ｄの各長さを調整して正しい投影方向を得るものとして説明したが、同様の動作は電源投入の初期のみならず、例えば専用のキーを設けることでそのキー操作があった場合には即時実行するものとしてもよい。
【０１４０】
さらに、プロジェクタ装置１０の本体ケーシング１１が設置されている角度が、水平位置からどの程度、どの方向に傾いているのかを角度センサ等により検出し、その検出結果に基づいて調整脚部２３ａ，２３ｂ，２３ｃ，２３ｄの各長さを個別に調整することにより、プロジェクタ装置１０の設置位置の傾き等に関係なく姿勢制御を実行して、天地、水平の各方向が正確な画像を投影表示するものとしてもよい。
【０１４１】
また、上記第２乃至第４の実施の形態を組み合わせて一連の動作で行なってもよい。つまり第２の実施の形態のステップＢ１２の後にステップＣ１１の投影画像の自動合焦処理とステップＤ１１の投影画像の自動台形補正処理を行なうようにしてもよい。
【０１４２】
その他、本発明は上記実施の形態に限らず、その要旨を逸脱しない範囲内で種々変形して実施することが可能であるものとする。
【０１４３】
さらに、上記実施の形態には種々の段階の発明が含まれており、開示される複数の構成要件における適宜な組合わせにより種々の発明が抽出され得る。例えば、実施の形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【図面の簡単な説明】
【０１４４】
【図１】本発明の第１の実施の形態に係るプロジェクタ装置の外観構成を示す斜視図。
【図２】同実施の形態に係るプロジェクタ装置の機能回路構成を示すブロック図。
【図３】同実施の形態に係る電源投入当初の初期化処理の内容を示すフローチャート。
【図４】同実施の形態に係るチャートパターン画像の投影状態を例示する図。
【図５】本発明の第２の実施の形態に係る電源投入当初の初期化処理の内容を示すフローチャート。
【図６】本発明の第３の実施の形態に係る電源投入当初の初期化処理の内容を示すフローチャート。
【図７】本発明の第４の実施の形態に係る電源投入当初の初期化処理の内容を示すフローチャート。
【符号の説明】
【０１４５】
１０…プロジェクタ装置、１１…本体ケーシング、１２…投影レンズ、１３…撮影レンズ、１４…前面カバー、１５…蓄光リング、１６…Ｉｒ受信部、１７…スライドバー、１８…キー／インジケータ部、１９…スピーカ（ＳＰ）、２０…入出力コネクタ部、２１…Ｉｒ受信部、２２…ＡＣアダプタ接続部、２３ａ，２３ｂ，２３ｃ，２３ｄ…調整脚部、３１…入出力インタフェース（Ｉ／Ｆ）、３２…画像変換部、３３…表示エンコーダ、３４…ビデオＲＡＭ、３５…表示駆動部、３６…空間的光変調素子（ＳＯＭ）、３７…リフレクタ、３８…光源ランプ、３９…レンズモータ（Ｍ）、４０…レンズモータ（Ｍ）、４１…ＣＣＤ、４２…プロセス回路、４３…画像記憶部、４４…制御部、４５…姿勢制御部、４６…音声処理部、４７ａ〜４７ｄ…モータ（Ｍ）、ＳＢ…システムバス、ＳＣ…スクリーン。
【図１】
2005257766.tif 000003
【図２】
2005257766.tif 000004
【図３】
2005257766.tif 000005
【図４】
2005257766.tif 000006
【図５】
2005257766.tif 000007
【図６】
2005257766.tif 000008
【図７】
2005257766.tif 000009